(57)【要約】【課題】原稿流し読みを行う位置が、読取り手段の待機位置に対し、プラテンガラス面の読取り手段移動走査方向反対側に位置している場合、起動後、読取り手段待機位置から前記読取り位置へ移動する時間かかるのを削減しＦＣＯＴ短縮する事。【解決手段】原稿流し読みを行う位置が、読取り手段の待機位置に対し、プラテンガラス面の読取り手段副走査方向反対側に位置し、原稿をＡＤＦのトレイにセットした事を検知する手段を設ける。トレイに原稿を検知した事をトリガーとして、読取り手段（ＣＩＳ）が流し読み取り位置へ移動を開始する。【選択図】　　　　図１
2004072315.tif 000002
【特許請求の範囲】
【請求項１】
複数のシート状原稿束を載置するシート原稿載置トレイを備えた自動原稿給紙装置と、原稿をプラテンガラス上に載置し、読み取り手段を移動走査して画像を読取る場合における、原稿載置位置を決めるプラテンガラス一端側に設けられた原稿突き当て板と、前記読取り手段を静止させて、前記自動原稿給紙装置により原稿を搬送しながら画像を読取る原稿流し読取り機構とを備える画像形成装置において、前記自動原稿給紙装置のシート原稿載置トレイに原稿が載置されるのに連動して、前記読み取り手段が待機位置から、原稿流し読取り位置へ移動を開始する事を特徴する画像形成装置。
【請求項２】
原稿流し読取り位置が、前記原稿突き当て板から前記プラテンガラス上に載置される原稿の読取り走査領域を隔てた前記プラテンガラス他端側に構成されることを特徴とする請求項１に記載の画像形成装置。
【発明の詳細な説明】
【０００１】
【発明の属する技術分野】
本発明は自動原稿給紙装置を備えた画像形成装置に関する。
【０００２】
【従来の技術】
従来の自動原稿給紙装置において、プラテンガラス上に載置された原稿を、プラテンガラスの一端部から移動走査しながら画像を読み取る画像読み取り手段有する自動原稿給紙装置で、原稿を搬送しながら前記読取り手段を静止させた状態で画像を読取る機能を併せて具備する装置がある。本機能は、プラテンガラス上に原稿を載置し、回収するための原稿搬送手段を設けることで低コスト及び低重量で実現できる。当然、原稿を読み取る際に、読み取り手段が移動し原稿を一枚ずつ走査することがないので、装置の低騒音化に効果があった。従来、通常コピー時に原稿を載置するプラテンガラスと通常コピー走査領域外に流し読み専用のプラテンガラスを設けていた。しかし、本体寸法の小型化と装置構成の簡素化のため、図３に示すように、プラテンガラス１２７に原稿を載置し通常コピーを行う読取り手段１０６の移動走査領域内Ｌ１で流し読みを行う構成をとる装置も提案されている。
【０００３】
【発明が解決しようとする課題】
このような自動原稿給紙装置においては、読取り手段が、原稿流し読取り位置へ移動する時間が余分にかかってしまう。特に、原稿流し読みを行う位置が、読取り手段の待機位置に対し、プラテンガラス面の読取り手段移動走査方向反対側に位置している場合、起動後、読取り手段待機位置から前記読取り位置へ移動するため、１枚目の画像読取り処理を開始させるまでに時間がかかってしまう事があった。
【０００４】
本発明は、以上の点に着目して成されたもので、原稿流し読みを行う位置が、読取り手段の待機位置に対し、プラテンガラス面の読取り手段移動走査方向反対側に位置している場合、起動後、読取り手段待機位置から前記読取り位置へ移動する時間かかるのを削減しＦＣＯＴ短縮する画像形成装置を提供することを目的とする。
【０００５】
【課題を解決するための手段】
本発明は上記課題を解決するために、原稿をプラテンガラス上に載置し、読み取り手段を移動走査して画像を読取る場合における、原稿載置位置を決める原稿突き当て板と、プラテンガラス上の前記原稿突き当て板と、自動原稿給紙手段による原稿流し読取り部を設けた自動原稿給紙装置を備える画像形成装置において、前記自動原稿給紙装置の読み取る原稿を載置するためのシート原稿載置トレイに原稿が載置されるのに連動して、前記読み取り手段が待機位置から、原稿流し読み取り位置へ移動を開始する事を特徴としている。読取り司令前に、読み取り手段が原稿流し読取り位置へ移動を開始するため、特に、１枚目の画像読取り処理が早くなり画像形成処理時間が短縮される。さらに、原稿載置位置を決めるプラテンガラス一端側に設けられた原稿突き当て板と、前記原稿突き当て板の読み取り手段移動走査方向反対側のプラテンガラス他端近傍に、前記読取り手段を静止させて、前記自動原稿給紙装置により原稿を搬送しながら画像を読取る原稿流し読取り機構とを備える画像形成装置においては、読取り手段の流し読取り位置までの移動距離が長いため１枚目の画像読取り処理が早くなり画像形成処理時間が短縮される作用が大きくなる。
【０００６】
更にこれを要約すれば、以下の構成に集約できる。
【０００７】
（１）複数のシート状原稿束を載置するシート原稿載置トレイを備えた自動原稿給紙装置と、原稿をプラテンガラス上に載置し、読み取り手段を移動走査して画像を読取る場合における、原稿載置位置を決めるプラテンガラス一端側に設けられた原稿突き当て板と、前記読取り手段を静止させて、前記自動原稿給紙装置により原稿を搬送しながら画像を読取る原稿流し読取り機構とを備える画像形成装置において、前記自動原稿給紙装置のシート原稿載置トレイに原稿が載置されるのに連動して、前記読み取り手段が待機位置から、原稿流し読取り位置へ移動を開始する事を特徴する画像形成装置。
【０００８】
（２）原稿流し読取り位置が、前記原稿突き当て板から前記プラテンガラス上に載置される原稿の読取り走査領域を隔てた前記プラテンガラス他端側に構成されることを特徴とする前記（１）に記載の画像形成装置。
【０００９】
【発明の実施の形態】
（第ｌの実施例）
以下、図面を参照して本発明の実施形態例を詳細に説明する。図１は本発明の一実施形態例のデジタル複写機全体構成を示す断面図である。
【００１０】
自動原稿給紙手段（ＡＤＦ）１０１には画像を読み取るための原稿Ｚを複数枚載置できる原稿載置トレイ１０２と、原稿載置トレイ１０２に原稿がセットされたことを検知する原稿検知手段１２３と、原稿載置トレイ１０２に載置された原稿Ｚを一枚ずつ分離給送する給紙ローラ１０３と、分離給送された原稿のスキューを修正しプラテンガラスに原稿を搬送するレジストローラ対１０４ａ、１０４ｂと、原稿の画像面を、コンタクトガラス上に接近させて原稿を搬送するプラテンローラ１０５、プラテンガラス上を通過した原稿をガイドする搬送ガイド台１２４、原稿を反転させる反転ローラ１２５、処理を終了した原稿をスタックする排出原稿トレイ１２２と、排出原稿トレイ１２２へ原稿を搬送する排出ローラ１２１から構成されている。
【００１１】
一方、画像を読み取るための読取り手段を備えた画像読取り装置（リーダスキャナ）２０１には、読み取る原稿を載置するためのプラテンガラス１２７ａと、プラテンガラス１２７ａ上に載置された原稿の位置を決めるための原稿突き当て板１２８ａと、自動原稿給紙装置１０１により、原稿を搬送しながら原稿を読み取るための流し読み専用プラテンガラス１２７ｂと、プラテンガラス１２７ａ及び、流し読み専用プラテンガラス１２７ａ上の原稿を読み取るコンタクトイメージセンサー１０６ａ（以下、“ＣＩＳ”）を含む読取りユニット１０６と、読取りユニットの移動走査を案内するガイド軸１０７と、読取りユニット１０６がガイド軸１０７に沿って移動するための不図示の駆動源、駆動伝達ベルト及び、筐体により構成される。なお、読取りユニット１０６には、読み取る原稿をプラテンガラス１２７を介し照明するＬＥＤ（不図示）と、前記ＣＩＳ１０６ａ及び、ＣＩＳ１０６ａを保持するＣＩＳホルダ１０６ｂ、ＣＩＳホルダ１０６ｂに固定され、前記ガイド軸と摺動するスライダー１０６ｃが含まれている。また、原稿両端と中央の原稿照明ＬＥＤ（不図示）の光量、ＣＩＳ内の受光素子の感度のばらつきなどのデータを検出するための白色基準面１２８ｂは、原稿突き当て板１２８ａの裏面に配設されている。また、プラテンガラス１２７ａと、流し読取り専用プラテンガラス１２７ｂとは、一体に形成されていても、機能上において同等である。
【００１２】
次に、本実施形態例における画像形成動作について図４を用いて説明する。
読み取るための原稿を複数枚載置できる原稿載置トレイ１０２に画像面を下向きにして積載すると、原稿検知手段１２３により原稿が原稿載置トレイ１０２にセットされた事を検知する。不図示のコントーローラー部は、原稿検知手段１２３からの原稿検知信号を入力した後、読取りユニット１０６を原稿自動給紙装置１０１内のプラテンローラ１０５に対峙する位置に移動する様に駆動源（不図示）に司令を発する。
【００１３】
一方、原稿載置トレイに原稿を載置後、不図示の装置操作パネルよりコピースタートの司令が発信されると、すでに待機位置から、原稿流し読取り位置へ移動中の読取りユニット１０６の到着に連動して、原稿載置トレイ１０２に載置された原稿Ｚは、原稿を一枚ずつ分離給送する給紙ローラ１０３により積載された原稿の上面側から１枚ずつ分離給送される。分離給送された原稿はレジストローラ対１０４ａ、１０４ｂによりスキューが修正され、プラテンローラ１０５に向けて搬送される。プラテンローラ１０５は、原稿の画像面をプラテンガラス上面に接近させて原稿を搬送させるため、両端部にはプラテンガラス上面に接触しローラ面とプラテンガラス上面との隙間を確保するスペーサーが設けられている。
【００１４】
原稿Ｚがプラテンローラ１０５に搬送される時、すでにＣＩＳ１０６はプラテンローラ１０５に対しプラテンガラス１２７を挟み対峙する位置へ移動していて、図示しないＬＥＤより原稿面を照明する。
【００１５】
照明された原稿Ｚの原稿面からの反射光は、図示しないレンズアレイによりラインセンサ上に集光され画像を読み取る。読み取られた画像情報はデジタル信号に書き換えてレーザースキャナー３０２に伝達する。レーザースキャナー３０２に送られた信号はレーザー光源となり高速で回転するポリゴンミラー３０３と折り返しミラー３０４を介して、プロセスカートリッジ４０１の感光ドラム４０２に照射され、感光ドラム面上に静電潜像が形成され、トナーが吸着される。一方、記録紙Ａを積載した中板３０５がカセット桶３０６の底壁に対して傾斜している状態で、積載された記録紙Ａのうち１番上の記録紙Ａ１がカセット給紙ローラ３０７に当接し、カセット給紙ローラ３０７の回転に伴って記録紙Ａ１が、中板３０５の一辺部から他辺部に向かう給紙方向に送り出される。カセット給紙ローラ３０７によって送り出された記録紙Ａ１は引き抜きローラ３０８及びレジローラ３０９によって搬送され、転写ローラ３１０により感光ドラム４０２に形成されている静電潜像により吸着されているトナーが記録紙Ａ１に転写される。
【００１６】
トナー像を転写された記録紙Ａ１は、内部に熱源である定着ヒータを有する加熱部と、弾性体で形成される加圧ローラとを有する定着装置３１１により、記録紙Ａ１上のトナー像を記録紙Ａ１に加熱密着させ、熱と圧力を加えることにより画像を定着する。その後に、記録紙Ａ１は記録紙排出ローラ３１２によって排紙トレイ３１３上に排出、積載される。
【００１７】
また、画像を読取られた原稿Ｚは、搬送ガイド台１２４を通過し、反転ローラ１２５及び排出ローラ１２１を介して排出原稿トレイ１２２に積載されていく。
【００１８】
（第２の実施例）
以下、図面を参照して本発明の実施形態例を詳細に説明する。図２は本発明の一実施形態例のデジタル複写機全体構成を示す断面図である。
【００１９】
自動原稿給紙手段（ＡＤＦ）１０１には画像を読み取るための原稿Ｚを複数枚載置できる原稿載置トレイ１０２と、原稿載置トレイ１０２に原稿がセットされたことを検知する原稿検知手段１２３と、原稿載置トレイ１０２に載置された原稿Ｚを一枚ずつ分離給送する給紙ローラ１０３と、分離給送された原稿のスキューを修正しプラテンガラスに原稿を搬送するレジストローラ対１０４ａ、１０４ｂと、原稿の画像面を、コンタクトガラス上に接近させて原稿を搬送するプラテンローラ１０５、プラテンガラス上を通過した原稿をガイドする搬送ガイド台１２４、原稿を反転させる反転ローラ１２５、処理を終了した原稿をスタックする排出原稿トレイ１２２と、排出原稿トレイ１２２へ原稿を搬送する排出ローラ１２１から構成されている。
【００２０】
一方、画像を読み取るための読取り手段を備えた画像読取り装置（リーダスキャナ）２０１には、読み取る原稿を載置するためのプラテンガラス１２７と、プラテンガラス上に載置された原稿の位置を決めるための原稿突き当て板１２８ａと、プラテンガラス１２７上に載置された原稿を読み取るコンタクトイメージセンサー１０６ａ（以下、“ＣＩＳ”）を含む読取りユニット１０６と、読取りユニットの移動走査を案内するガイド軸１０７と、読取りユニット１０６がガイド軸１０７に沿って移動するための不図示の駆動源、駆動伝達ベルト及び、筐体により構成される。なお、読取りユニット１０６には、読み取る原稿をプラテンガラス１２７を介し照明するＬＥＤ（不図示）と、前記ＣＩＳ１０６ａ及び、ＣＩＳ１０６ａを保持するＣＩＳホルダ１０６ｂ、ＣＩＳホルダ１０６ｂに固定され、前記ガイド軸と摺動するスライダー１０６ｃが含まれている。また、原稿両端と中央の原稿照明ＬＥＤ（不図示）の光量、ＣＩＳ内の受光素子の感度のばらつきなどのデータを検出するための白色基準面１２８ｂは、原稿突き当て板１２８ａの裏面に配設されている。
【００２１】
次に、本実施形態例における画像形成動作について図５を用いて説明する。
読み取るための原稿を複数枚載置できる原稿載置トレイ１０２に画像面を下向きにして積載すると、原稿検知手段１２３により原稿が原稿載置トレイ１０２にセットされた事を検知する。不図示のコントーローラー部は、原稿検知手段１２３からの原稿検知信号を入力した後、読取りユニット１０６を原稿自動給紙装置１０１内のプラテンローラ１０５に対峙する位置に移動する様に駆動源（不図示）に司令を発する。
【００２２】
一方、原稿載置トレイに原稿を載置後、不図示の装置操作パネルよりコピースタートの司令が発信されると、すでに待機位置から、原稿流し読取り位置へ移動中の読取りユニット１０６の到着に連動して、原稿載置トレイ１０２に載置された原稿Ｚは、原稿を一枚ずつ分離給送する給紙ローラ１０３により積載された原稿の上面側から１枚ずつ分離給送される。分離給送された原稿はレジストローラ対１０４ａ、１０４ｂによりスキューが修正され、プラテンローラ１０５に向けて搬送される。プラテンローラ１０５は、原稿の画像面をプラテンガラス上面に接近させて原稿を搬送させるため、両端部にはプラテンガラス上面に接触しローラ面とプラテンガラス上面との隙間を確保するスペーサーが設けられている。
【００２３】
原稿Ｚがプラテンローラ１０５に搬送される時、すでにＣＩＳ１０６はプラテンローラ１０５に対しプラテンガラス１２７を挟み対峙する位置へ移動していて、図示しないＬＥＤより原稿面を照明する。
【００２４】
照明された原稿Ｚの原稿面からの反射光は、図示しないレンズアレイによりラインセンサ上に集光され画像を読み取る。読み取られた画像情報はデジタル信号に書き換えてレーザースキャナー３０２に伝達する。レーザースキャナー３０２に送られた信号はレーザー光源となり高速で回転するポリゴンミラー３０３と折り返しミラー３０４を介して、プロセスカートリッジ４０１の感光ドラム４０２に照射され、感光ドラム面上に静電潜像が形成され、トナーが吸着される。一方、記録紙Ａを積載した中板３０５がカセット桶３０６の底壁に対して傾斜している状態で、積載された記録紙Ａのうち１番上の記録紙Ａ１がカセット給紙ローラ３０７に当接し、カセット給紙ローラ３０７の回転に伴って記録紙Ａ１が、中板３０５の一辺部から他辺部に向かう給紙方向に送り出される。カセット給紙ローラ３０７によって送り出された記録紙Ａ１は引き抜きローラ３０８及びレジローラ３０９によって搬送され、転写ローラ３１０により感光ドラム４０２に形成されている静電潜像により吸着されているトナーが記録紙Ａ１に転写される。
【００２５】
トナー像を転写された記録紙Ａ１は、内部に熱源である定着ヒータを有する加熱部と、弾性体で形成される加圧ローラとを有する定着装置３１１により、記録紙Ａ１上のトナー像を記録紙Ａ１に加熱密着させ、熱と圧力を加えることにより画像を定着する。その後に、記録紙Ａ１は記録紙排出ローラ３１２によって排紙トレイ３１３上に排出、積載される。
【００２６】
また、画像を読み取られた原稿Ｚは、搬送ガイド台１２４を通過し、反転ローラ１２５及び排出ローラ１２１を介して排出原稿トレイ１２２に積載されていく。
【００２７】
【発明の効果】
以上説明したように、本発明によれば、原稿をプラテンガラス上に載置し、読み取り手段を移動走査して画像を読取る場合における、原稿載置位置を決める原稿突き当て板と、プラテンガラス上の前記原稿突き当て板と、読み取り手段移動走査方向反対側に自動原稿給紙手段による原稿流し読取り部を設けた自動原稿給紙装置を備える画像形成装置において、前記自動原稿給紙装置の読み取る原稿を載置するためのシート原稿載置トレイに原稿が載置されるのに連動して、前記読み取り手段が待機位置から、原稿流し読み取り位置へ移動を開始する。このため、プラテンガラス上に原稿を載置し、回収するための原稿搬送手段をプラテンガラス全域に渡って設ける必要がなく、低コスト及び低重量化を実現できる事と、原稿を読み取る際に、読み取り手段が移動し原稿を一枚ずつ走査することがないので、装置の低騒音化をも実現しながら、読取りをスタートさせる操作前に、読取り手段が原稿流し読取り位置へ移動を開始しているため、読取り操作の司令を発信してから実際に１枚目の原稿の読取り動作に入るまでの時間が短縮され、画像形成処理の快適性を向上させる。
【図面の簡単な説明】
【図１】本発明の一実施形態例であるデジタル複写機の全体構成断面図
【図２】本発明の第二の実施形態例であるデジタル複写機の全体構成断面図
【図３】従来の自動原稿給紙装置と原稿読取り部を示す断面図
【図４】本発明の一実施形態例における動作を示す全体構成断面図
【図５】本発明の第二の実施形態例における動作を示す全体構成断面図
【符号の説明】
１０１　自動原稿給紙装置（ＡＤＦ）
１０２　原稿載置トレイ
１０３　給紙ローラ
１０４ａ，１０４ｂ　レジストローラ対
１０５　プラテンローラ
１０６　読取りユニット
１０６ａ　コンタクトイメージセンサー（ＣＩＳ）
１０６ｂ　ＣＩＳホルダ
１０６ｃ　スライダー
１０７　ガイド軸
１２２　排出原稿トレイ
１２３　原稿検知手段
１２７　プラテンガラス
１２８ａ　原稿突き当て板
１２８ｂ　白色基準面（シェーディング板）
【図１】
2004072315.tif 000003
【図２】
2004072315.tif 000004
【図３】
2004072315.tif 000005
【図４】
2004072315.tif 000006
【図５】
2004072315.tif 000007